(57)【要約】【課題】装着者及び周囲の人に違和感を与えず、かつ、カメラで撮像されても個人が判別されないようにすることができるようにする。【解決手段】制御装置１４が、レンズ部１０の３０％以上の領域が遮蔽され、かつ、遮蔽領域が、装着者の目領域の一部を少なくとも含み、２０Ｈｚ以上の周波数で、各セルを開閉させるように、電子シャッター１２の駆動部を制御する。このとき、２０Ｈｚ以上の周波数で、電子シャッター１２の各セルが開閉するため、メガネ型装具１００の装着者及び周囲の人は、電子シャッター１２の各セルの開閉を認識することができない。メガネ型装具１００の装着者の顔が、カメラで撮像されると、撮像された画像では、メガネ型装具１００の装着者の顔のレンズ部分の３０％以上が黒く映る。【選択図】図１
2018098729.tif 000002
【特許請求の範囲】
【請求項１】
電子シャッターの各セルが配置されたレンズ部と、
前記電子シャッターの各セルを開閉させる駆動部と、
前記レンズ部の３０％以上の領域が遮蔽され、かつ、遮蔽領域が、装着者の目領域の一部を少なくとも含み、２０Ｈｚ以上の周波数で、各セルを開閉させるように、前記駆動部を制御する制御部と、
を含むメガネ型装具。
【請求項２】
前記制御部は、２０Ｈｚ以上の画像書き換え周波数で書き換えられる画像パターンに基づいて、各セルを開閉させるように、前記駆動部を制御する請求項１記載のメガネ型装具。
【請求項３】
予め定められたカメラのシャッタースピードが、前記画像書き換え周波数に対応する周期よりも短い場合、前記画像パターンの１フレームにおける前記遮蔽領域の大きさが、前記レンズ部の３０％以上であり、かつ、前記レンズ部の７０％以下である請求項２記載のメガネ型装具。
【請求項４】
予め定められたカメラのシャッタースピードが、前記画像書き換え周波数に対応する周期よりも長い場合、前記シャッタースピードの間にまたぐフレーム数をｎとすると、前記画像パターンの１フレームにおける前記遮蔽領域の大きさが、前記レンズ部の３０／ｎ％以上であり、かつ、前記レンズ部の（１００−３０／ｎ）％以下である請求項２記載のメガネ型装具。
【請求項５】
前記電子シャッターは、液晶、エレクトロクロミック、又はＭＥＭＳシャッターを用いて構成されている請求項１〜請求項４の何れか１項記載のメガネ型装具。
【発明の詳細な説明】
【技術分野】
【０００１】
本発明は、メガネ型装具に関する。
【背景技術】
【０００２】
カメラ付きモバイル端末の普及と並行して、ソーシャル・ネットワーキング・サービス（SNS）が進展しており、観光地やアミューズメントパーク、街ナカ等のパブリックスペースで撮影した写真をSNSに気軽に投稿するユーザーが増えてきている。代表的なSNSであるFacebook（Ｒ）だけでも1日に3.5億枚の写真がアップロードされており、特に人が多く集まる場所・施設等では、四方八方からみだりに写真撮影が行われている状況であり、うっかり写真に写り込んでしまうことは、もはや避け難い。無断で撮影（または盗撮）された写真や、意図せずに写りこんだ写真が、ユーザーによりSNSなどに公開されることが現実問題として生じている。さらには、ユーザーが日時や場所等の情報を付加した場合には、いつ・どこに（状況によっては誰と）いたかということが容易に暴露されることになる。このため、意図せず、しかも知らないうちにプライバシーが侵害されることが深刻な問題となっており、盗撮やカメラの写りこみによるプライバシー侵害を防止する効果的な対策が求められている。
【０００３】
従来の防止技術としては、下記の手法が提案されている。
【０００４】
まず、デジタルカメラに感光する赤外光を放射する発光素子をメガネ型装着具に装着することにより、目、鼻、口のうち少なくとも２要素の一部分にノイズを重畳させ、顔画像認識ソフトウェア上での顔画像認識を不可能とさせる盗撮防止装着具が知られている（特許文献１）。
【０００５】
また、顔面を覆うカバーを装着できるメガネ型装具であり、これを用いることで、顔面を隠し、プライバシーから守ることができる、遮蔽器具が知られている（特許文献２）。
【０００６】
また、立体映像を認識させるために、メガネのレンズ部に当たる部分に液晶セルを有するシャッター機構を設けたメガネ型装置であり、右目用シャッター部と左目用シャッター部で構成されるアクティブシャッターメガネが知られている（特許文献３）。視差のついた右眼用画像および左眼用画像が交互に時分割方式で表示された画面を、この画像信号に同期させて右目用および左目用シャッター部を交互に開閉させることで、右眼には右眼用画像が、左眼には左眼用画像が投影され、立体映像を認識することができる。
【０００７】
また、撮像画像データの画像内で、ソフトウェアによる画像変換処理技術を用いて、例えば人の顔画像を抽出して、モザイク化、ソフトフォーカス化、暗号化、顔画像への目線等の追加処理を行うことで肖像権侵害を防止できる画像処理装置が知られている（特許文献４）。
【０００８】
また、サングラスのレンズ部分が黒線形状になっており、これを装着することで、写真に写り込んでも目部分が目隠しされた状態を容易に実現できるパーティーサングラスが知られている。
【先行技術文献】
【特許文献】
【０００９】
【特許文献１】特開２０１３―２０１７３４号公報
【特許文献２】特開２０００−５４２１６号公報
【特許文献３】国際公開２０１１／１２５４６２号
【特許文献４】特開２００８−２３６１４１号公報
【発明の概要】
【発明が解決しようとする課題】
【００１０】
しかしながら、上記特許文献１に記載の技術では、顔画像認識を失敗させるために、デジタルカメラのみに感光する（人の目には認識されない）赤外光にて目付近を過剰に明るくさせて顔として認識させなくする技術を用いているが、撮影するカメラが近赤外フィルターを搭載している場合には、顔画像認識を失敗させることは当該技術では回避可能であるという問題がある。また、デジタルカメラの画像処理技術が劇的に向上している近年の状況では、赤外光のフィルタリングはソフトウェア上で可能であり、必ずしも当該技術が期待している効果を発揮できないという問題を含む。加えて、当該技術では、目部分の周囲を明るくさせてコンピューターによる顔画像認識を失敗させる技術に基づいているため、写真画像の中で当該装着具使用者の目は完全に隠されていない。したがって、目が写真に写ってしまえば、被撮像者を知っている人々はそれが誰だか判別できてしまう欠点を有する。
【００１１】
さらには、上記特許文献１に記載の技術の本質的部分である赤外光を使うことに関しては、赤外光の長時間暴露による目への有害性が指摘されている。このため、必然的に赤外光が入射される目付近への発光素子の配置は、望ましいとはいえず、健康面や安全面での懸念が解消されていない。
【００１２】
上記に加えて、上記特許文献１に記載の盗撮防止装着具の駆動に関する欠点について述べる。当該装着具を用いて、ノイズを重畳し、顔認識を失敗させるためには、複数個のLEDを高出力で点灯または点滅させる必要があり、LEDの数が少ない場合および照射出力が低い場合は適度なノイズを重畳させられず、望ましい効果が得られない。つまり、確実に顔画像認識を失敗させるためには、複数個のLEDを高出力で動作させなければならない。これは、使用時の消費電力に直結する問題であり、低容量のモバイルバッテリーの使用下では、当該装着具の長時間連続駆動の妨げになる一方で、長時間駆動を可能にしようとすればモバイルバッテリーの小型化を妨げる。このため、メガネ型の装着具としてのモバイル性および装着性に欠点を与えることになる。
【００１３】
また、上記特許文献２に記載の技術では、顔面の遮蔽部分が大きいため、対人のコミュニケーションに支障をきたすという問題を含む。また、そもそも当該遮蔽器具を装着しながら歩き行動することは困難であるため、突然やってくる意図しない状況での写真への写りこみを回避することはできない。
【００１４】
また、上記特許文献３におけるシャッターメガネは、上記の両眼視差を利用して使用者に立体映像を認識させるために開発された技術・製品であり、そもそも目隠しによりプライバシーを守ることを目的として開発されたものではない。したがって、当該シャッターメガネでは、シャッター部は、右目用と左目用が交互に開閉することを前提としている。この仕様においては、どちらかの目が必ずオープンになるため、片目が完全に写真に写り込んでいる状態では個人が判別可能となってしまう重大な欠点を有している。
【００１５】
また、上記特許文献４に記載の技術では、ソフトウェア上での画像処理技術を用いて顔写真に黒線を入れる目隠し処理は、容易かつスピーディーに処理が可能である。しかしながら、コード化により処理可能であることは、逆にソフトウェア技術によるデコード（解除）も可能である問題点を有する。また、ソフトウェアによる顔画像認識に失敗した場合には、全く効果を発揮できないという致命的な欠点がある。加えて、そもそもユーザーが上記の画像処理設定を適用しなければ、あるいは故意に設定を解除すれば、意図しない写り込みによる被撮像者のプライバシー侵害を防止できないというユーザー本位に立脚する技術であり、この技術で、映り込みを防ぎたい被撮像者は自己防衛できないという問題を含んでいる。
【００１６】
また、上記のパーティーサングラスでは、サングラスである製品の特性上、対人のコミュニケーションに支障をきたすという問題を含む。また、ビジネスシーンでの活用も難しい。さらには、外観的にも一種異様な光景となってしまうため、むしろ余計に目立ってしまい、個人が特定される懸念を有する。
【００１７】
本発明は、上記事実を考慮して成されたもので、装着者及び周囲の人に違和感を与えず、かつ、カメラで撮像されても個人が判別されないようにすることができるメガネ型装具を提供することを目的とする。
【課題を解決するための手段】
【００１８】
上記目的を達成するために本発明に係るメガネ型装具は、電子シャッターの各セルが配置されたレンズ部と、前記電子シャッターの各セルを開閉させる駆動部と、前記レンズ部の３０％以上の領域が遮蔽され、かつ、遮蔽領域が、装着者の目領域の一部を少なくとも含み、２０Ｈｚ以上の周波数で、各セルを開閉させるように、前記駆動部を制御する制御部と、を含んで構成されている。
【００１９】
本発明に係るメガネ型装具によれば、制御部が、前記レンズ部の３０％以上の領域が遮蔽され、かつ、遮蔽領域が、装着者の目領域の一部を少なくとも含み、２０Ｈｚ以上の周波数で、各セルを開閉させるように、前記駆動部を制御する。このとき、２０Ｈｚ以上の周波数で、電子シャッターの各セルが開閉するため、メガネ型装具の装着者及び周囲の人は、電子シャッターの各セルの開閉を認識することができない。また、メガネ型装具の装着者の顔が、カメラで撮像されると、撮像された画像では、メガネ型装具の装着者の顔のレンズ部分の３０％以上が黒く映る。
【００２０】
このように、前記レンズ部の３０％以上の領域が遮蔽され、かつ、遮蔽領域が、装着者の目領域の一部を少なくとも含み、２０Ｈｚ以上の周波数で、各セルを開閉させることにより、装着者及び周囲の人に違和感を与えず、かつ、カメラで撮像されても個人が判別されないようにすることができる。
【００２１】
本発明に係る制御部は、２０Ｈｚ以上の画像書き換え周波数で書き換えられる画像パターンに基づいて、各セルを開閉させるように、前記駆動部を制御することができる。
【００２２】
また、予め定められたカメラのシャッタースピードが、前記画像書き換え周波数に対応する周期よりも短い場合、前記画像パターンの１フレームにおける前記遮蔽領域の大きさが、前記レンズ部の３０％以上であり、かつ、前記レンズ部の７０％以下である。
【００２３】
また、予め定められたカメラのシャッタースピードが、前記画像書き換え周波数に対応する周期よりも長い場合、前記シャッタースピードの間にまたぐフレーム数をｎとすると、前記画像パターンの１フレームにおける前記遮蔽領域の大きさが、前記レンズ部の３０／ｎ％以上であり、かつ、前記レンズ部の（１００−３０／ｎ）％以下である。
【発明の効果】
【００２４】
本発明に係るメガネ型装具によれば、前記レンズ部の３０％以上の領域が遮蔽され、かつ、遮蔽領域が、装着者の目領域の一部を少なくとも含み、２０Ｈｚ以上の周波数で、各セルを開閉させることにより、装着者及び周囲の人に違和感を与えず、かつ、カメラで撮像されても個人が判別されないようにすることができる、という効果がある。
【図面の簡単な説明】
【００２５】
【図１】第１の実施の形態に係るメガネ型装具の概略構成を示す斜視図である。
【図２】第１の実施の形態に係る電子シャッターの構成の一例を示す断面図である。
【図３】透過状態における電子シャッターを説明するための図である。
【図４】遮光状態における電子シャッターを説明するための図である。
【図５】電子シャッターのセルの配置を説明するための図である。
【図６】第１の実施の形態に係る制御装置の構成の一例を示す回路図である。
【図７】液晶表示方式によるリフレッシュレートと応答速度の概念図である。
【図８】リフレッシュレートとシャッタースピードの関係の概念図である。
【図９】実験に用いた画像の一例を示す図である。
【図１０】目部分の被覆率に対する正答率の調査結果を示す図である。
【図１１】スリット状に配置した画像パターンの一例を示す図である。
【図１２】ランダムに配置した画像パターンの一例を示す図である。
【図１３】カメラで撮像された画像に写り込んだときのイメージ図である。
【図１４】第２の実施の形態に係る電子シャッターの構成の一例を示す断面図である。
【図１５】第２の実施の形態に係る電子シャッターの動作を説明するための図である。
【図１６】第３の実施の形態に係る電子シャッターの構成の一例を示す断面図である。
【図１７】第３の実施の形態に係る電子シャッターの動作を説明するための図である。
【図１８】第４の実施の形態に係るメガネ型装具の概略構成を示す斜視図である。
【図１９】ビックリマークを表示した画像パターンを用いたときに写り込んだ画像のイメージ図である。
【図２０】ＱＲコード（Ｒ）を表示した画像パターンを用いたときに写り込んだ画像のイメージ図である。
【発明を実施するための形態】
【００２６】
以下、図面を参照して、本発明の実施の形態の例を詳細に説明する。
【００２７】
［第１の実施の形態］
＜メガネ型装具の構成＞
図１は、本実施の形態に係るメガネ型装具の要部の概略構成を示す斜視図である。
【００２８】
図１に示すように、本実施の形態に係るメガネ型装具１００は、左右のレンズ部１０と、左右のレンズ部１０の各々に設けられた電子シャッター１２と、該電子シャッター１２の駆動を制御する制御装置１４と、とを備えている。
【００２９】
レンズ部１０には、通常のメガネで用いられるガラス製およびプラスチック製のものを使用すればよく、視力端正のために、度付きのものでもよいし、度が付いていないものでもよい。装具の形状は、一般に、メガネとして用いられる形状が好適である。
【００３０】
第１の実施の形態における電子シャッター１２の主要な部分は、図２に示すように、２枚の偏光フィルター２０が透明基板２２と液晶層２４を挟む形で構成されている。なお、基本構成はこのようであるが、強度を高めるために保護フィルムが付してあっても良い。
【００３１】
本実施の形態における電子シャッター１２の動作機構について述べる。図３、４は、本方式の概略図である。
【００３２】
360度多様な方向に振幅成分を持つ光が光源から放射されると、まず前面の偏光フィルター２０を通過する。この時、特定方向の振幅成分を持つ光が透過され、残りの成分は吸収される。前面の偏光フィルター２０を通過した光は、直線偏光となり液晶層２４に入射される。液晶層２４では、この直線偏光が旋光され、液晶層２４を厚み方向に伝播しながら、液晶のもつ屈折率異方性に応じて偏光状態が変化される。旋光された光は背面の偏光フィルター２０を透過できるが、液晶層２４で旋光できなかった楕円偏光は、背面の偏光フィルター２０により直線偏光成分が透過する（図３参照）。この状態では、光に対して電子シャッター１２が機能していなく、周囲からメガネ型装具１００の使用者の眼が見える状態となっており、逆に言えば、使用者から周囲の状況が見える状態である。
【００３３】
一方で、シャッター機能がなされるためには、図４に示すように、液晶層２４による旋光がなされなければよい。この状態では、光はまったく透過できないため、周囲からメガネ型装具１００の使用者の眼が見えない状態となっている。
【００３４】
液晶層２４による旋光がなされるか否かは、液晶分子のねじれに起因する。ねじれは透明基板２２間に印加する電圧により制御できる。例えば、図３、４に示した方式は、基板間の電界がOFF状態の時は光が透過し、ON状態の時に遮光するノーマリーホワイトモードによる動作方式であるが、当該メガネ型装具１００の電子シャッター１２としては、基板間の電界がON状態の時は光が透過し、OFF状態の時に遮光するノーマリーブラックモードによる動作方式も可能である。
【００３５】
このように動作する液晶による電子シャッター１２の複数のセル１２Ａを、図５に示すように、マトリックス状に配置し、当該メガネ型装具１００のレンズ部１０に装着することで、目隠しによりプライバシーを守れる電子シャッター付きメガネ型装具を構成することができる。
【００３６】
図６に示すように、制御装置１４は、コントローラ３０と駆動回路３２とを含んで構成されている。駆動回路３２は、コントローラ３０の制御により、電子シャッター１２のセル１２Ａ毎に、透明基板２２間に電圧を印加して当該セル１２Ａを開閉させる。
【００３７】
次に、コントローラ３０による制御原理について説明する。
【００３８】
（制御概要）
コントローラ３０は、２０Hz以上の画像書き換え周波数を有する連続あるいは不連続の画像パターンを用いて、駆動回路３２を介して、電子シャッター１２の各セル１２Ａの開閉を制御する。当該画像パターンは、レンズ部１０の３０％以上の領域が遮蔽され、かつ、遮蔽領域が、目領域の一部を少なくとも含むものである。
【００３９】
（画像書き換え周波数の根拠）
人の目で認識できる時間分解能は20Hzまでであり、20Hz以上の画像切り替え周波数では、静止画の高速切り替えにもかかわらず点滅しているようには見えず、連続的な動きとして認識される。
【００４０】
一方、20Hz未満の画像切り替え周波数では、人の目で認識できるため、動きが滑らかではない。これは、画像チラツキなどによる装着者の不快感を誘発するとともに、外部者からみた場合の違和感にもつながる。
【００４１】
（連続および不連続画像パターン）
ここで言う連続画像パターンとは、次フレームで表示する画像と現時点で表示されている画像との形状における関連性が深く（同一形状であるが、表示座標が異なるなど）、いくつかの画像をならべて表示する際に、全体としてスムーズかつ一貫性のある動きで表現される画像パターンのことである。
【００４２】
一方で、不連続画像パターンとは、上記とは異なり、前後の画像との関連性をまったく持たず、個別の画像がただ単に時系列でならべられただけの画像パターンである。
【００４３】
（20Hz動作時の画像書き換えタイムチャート）
図７に、一例として、液晶表示方式によるリフレッシュレートと応答速度の概念図を示す。
【００４４】
リフレッシュレートは、画像書き換え周波数のことであり、次の画像に切り替わるまでの周期を意味する。20Hzの場合には、50msごとに新しい画像パターンに更新される。この周波数が低いとカクカクした表示となるが、早い場合には連続画像として認識される。
【００４５】
応答速度とは、液晶分子の応答時間のことであり、液晶分子に電圧を印加し所定の透過率を得られるまでの時間と定義されている。画像が切り替わってから、液晶分子が反応して画像を表示する。この反応時間が遅いと残像（画像ブレ）が生じる。
【００４６】
図７中では、リフレッシュレートが20Hzであり、応答速度が5msである場合を例に示しているが、これに限定されるものではない。
【００４７】
（画像書き換え周期とシャッタースピードとの関係）
図８に、リフレッシュレートとシャッタースピードの関係の概念図を示す。
【００４８】
リフレッシュレート20Hzにおけるタイムチャートに、同一時間スケールで3種類のシャッタースピード（1/15, 1/30, 1/120）を示した。3種類のシャッタースピードを選定した理由は、iPhone 6（Ｒ）に搭載されているカメラの標準露光時のシャッタースピードが1/15から1/120の間にあるためである。
【００４９】
リフレッシュレートが20Hzのとき、1フレーム内にシャッタースピード時間が収まれば、その際に表示されている画像が撮影される。例えば、上記図８においてシャッタースピード1/30および1/120の場合は、１フレーム内で撮影が完了しており、それぞれ、画像１および画像４が撮像される。このように、リフレッシュレートに対応する周期に比べてシャッタースピードが十分に短い場合は、単一画像が撮像され、その画像により目が隠されてプライバシーを防止できることになる。シャッターのタイミングによっては、十分に短いシャッタースピードでも2フレームに亘る場合もある。
【００５０】
この時、目部分の30%以上が隠れていれば、目隠し画像から個人を特定できないため、プライバシー防止の目的を達成できる。30%以上が隠れていれば個人を特定できないことについては後述する。
【００５１】
一方で、上記図８においてシャッタースピードが１フレームよりも長いシャッタースピード（1/15）の場合では、撮影完了までに２つの画像（場合によっては3つになることも）が撮像されるが、これは、撮影された写真においては、画像２と画像３の合成画像となるため、本実施の形態における電子シャッター機構を用いる場合には、目隠しの面積がより大きくなり、プライバシー防止の目的を達成するには好都合となる。
【００５２】
（目の焦点距離）
シャッターの役割をする連続画像が、メガネのレンズ上に表示されている状況では、装着者がその画像を気にするシチュエーションが考えられる。物体をよく見るためには対象物を近づける必要があるからである。
【００５３】
しかながら、実際には物体がある距離以上に近づくとぼやけてうまく見えない。これは、水晶体のピント合わせの限界点であり、近点と呼ばれる。一般的に、20歳代では近点距離10cm程度であるが、加齢とともに水晶体の調整力が衰え、60歳代で100cm程度となり、近くの物体がより見づらくなる。
【００５４】
メガネのレンズは、近点よりも目に近い場所に位置しており、レンズ上の画像に焦点を合わせることは、生来の生体機能上、不可能である。その場合、人は焦点を合わせやすい長距離の対象物に結像する。
【００５５】
実際、3次元ディスプレイ用のアクティブシャッターメガネにおいては、眼前のレンズ部でシャッター開閉をしてもディスプレイ・モニターに表示された画像を見る上で妨げにならない。遠方に位置するより焦点を合わせやすいディスプレイ・モニター上の画像を見ようとするためである。
【００５６】
このような特徴から、レンズ部に連続画像が表示されていても、近点距離よりもその画像が近くにあるため、装着者はその画像を認識できない。このため、レンズ部の画像パターンにより、装着者は視界を遮られることはない。
【００５７】
また、連続画像を表示できる点は、先述の通り、いつ盗撮されても常に目を隠せる状態にあるため、プライバシー防止の観点からは非常に有利に作用する。
【００５８】
（実験）
目の部分の何パーセント以上が隠れていれば、隠れていないときと比較して、個人を特定できないかを確かめるため、下記の実験を実施した。
【００５９】
目以外の情報（鼻、口、輪郭、眉、前髪等）からの手がかりをなくすため、ある人物イラストの画像から、目以外の部分（輪郭、鼻、眉、口、髪型など）を抽出し、その画像に対して異なる目を貼り付けた合成画像を5つ準備した。
【００６０】
メガネのレンズで隠れる部分を100として、それに対して目の部分を黒く塗りつぶした被覆率10%，30%，50%，80%，100%の各画像において、見本画像と一致する画像を選択するテストを実施した。図９は、目の被覆率が30%の場合の調査に用いた画像である。
【００６１】
図１０に、各被覆率における正答率を示す。回答者は100人である。この結果から、目部分の30%以上が隠れていれば、見本画像との合致が著しく困難になることが判明した。
【００６２】
このことは、たとえ写真に撮影されたとしても、その瞬間の静止画像において目の部分の30%以上が隠れていれば個人を特定することが困難になることとして理解できる。結果、プライバシーを防止する目的が達成できる。
【００６３】
（画像パターンの例）
上記の結果を元にすれば、目隠しに用いる画像パターンの遮蔽領域は、上記図９に示した横棒線に限定されず、目の30%以上が隠れていれば、図１１に示すような1本あるいは数本で構成される横スリット、縦スリット、または斜めスリット状の遮蔽領域を有するパターンであって良い。
【００６４】
さらには、図１２に示すような目の30%以上を覆う丸や四角の遮蔽領域を有するランダムパターンであって良い。
【００６５】
（遮蔽領域の上限及び下限）
シャッタースピードとフレーム切り替え周波数との関係から、以下の（Ｉ）、（ＩＩ）の２通りのケースが考えられる。
【００６６】
以下では、シャッタースピードをｓとし、フレーム切り替え周波数をｆｆとし（1/ｆｆは切り替え周期となる）、レンズ面積をＡＬとし、１フレームにおける遮蔽領域をＡＣと定義する。
【００６７】
（Ｉ）1/ｆｆ＞ｓの場合
シャッタースピードがフレーム切り替え周期よりも短い場合は、１フレームにおける全ての画像パターンが常に３０%以上遮蔽されている必要がある。また、下限が３０％であることから、上限は７０％以下でなければ、次のフレームにて３０%以上を遮蔽することができない。
【００６８】
したがって、１フレームにおける遮蔽領域（ＡＣ）の上限および下限は次式で表される。
【００６９】
０．７ＡＬ≧ＡＣ≧０．３ＡＬ      （１）
【００７０】
（ＩＩ）1/ｆｆ＜ｓの場合
シャッタースピードがフレーム切り替え周期よりも長い場合は、シャッターが閉じるまでの全フレームにおける合成画像の遮蔽領域が、上式（１）の関係を満たせば良い。
【００７１】
ここで、シャッタースピードｓ間にまたぐフレーム数をｎとすると、１フレームにおける遮蔽領域の下限（ＡＣｌ）は、
【００７２】
ＡＣｌ≧０．３ＡＬ／ｎ      （２）
【００７３】
であり、ｎの合成画像における遮蔽領域の下限（ＡＣｌ０）は、次式で表される。
【００７４】
ＡＣｌ０＝Σ０．３ＡＬ／ｎ≧０．３ＡＬ      （３）
【００７５】
一方、１フレームにおける遮蔽領域上限（ＡＣｕ）は、
【００７６】
ＡＣu≦（１−０．３／ｎ）ＡＬ      （４）
【００７７】
であり、ｎの合成画像における遮蔽領域の上限（ＡＣｕ０）は、
【００７８】
ＡＣｕ０＝Σ（１−０．３／ｎ）ＡＬ≦０．７ＡＬ      （５）
【００７９】
となる。
【００８０】
以上説明した原理に従って、コントローラ３０は、２０Ｈｚ以上の画像書き換え周波数で書き換えられる画像パターンに基づいて、電子シャッター１２の各セル１２Ａを開閉させるように、駆動回路３２を制御する。このとき、画像パターンの各フレームは、レンズ部１０の３０％以上の領域が遮蔽され、かつ、遮蔽領域が、目領域の一部を少なくとも含み、かつ、電子シャッター１２の各セル１２Ａが、２０Ｈｚ以上の周波数で開閉するように構成されている。更に、予め定められたカメラのシャッタースピードが、画像書き換え周波数に対応する周期よりも短い場合、画像パターンの１フレームにおける遮蔽領域が、レンズ部１０の３０％以上であり、かつ、レンズ部１０の７０％以下であるように、画像パターンの各フレームが構成されている。
【００８１】
また、予め定められたカメラのシャッタースピードが、画像書き換え周波数に対応する周期よりも長い場合、シャッタースピードの間にまたぐフレーム数をｎとすると、画像パターンの１フレームにおける遮蔽領域が、レンズ部１０の３０／ｎ％以上であり、かつ、レンズ部１０の（１００−３０／ｎ）％以下であるように、画像パターンの各フレームが構成されている。
【００８２】
（バッテリー）
メガネ型装具１０は、更に、モバイル性の高いバッテリー（図示省略）を備える。当該バッテリーは充電可能な2次電池が好適であるが、ボタン電池や乾電池等でも動作できる。これにより、当該メガネ型装具の小型化が可能になり、モバイル性と装着性に優れる装具を提供できる。さらに、電子シャッターは低電圧で駆動できるため、長時間駆動を可能にする。
【００８３】
＜メガネ型装具の作用＞
続いて、上述のように構成された本実施の形態に係るメガネ型装具１００の作用について説明する。
【００８４】
本実施の形態に係るメガネ型装具１００では、制御装置１４による電子シャッター１２の開／閉（光の遮断／透過）制御が行われる。
【００８５】
これにより、上記画像パターンの各フレームが、２０Ｈｚ以上の画像書き換え周波数で切り替われるように、電子シャッター１２の各セル１２Ａが開閉する。
【００８６】
このとき、カメラによりメガネ型装具１００の装着者の顔が撮像されると、撮像した画像が表す装着者の顔では、図１３に示すように、例えば帯状パターンによる目隠しがされているため、個人が特定されない。
【００８７】
以上説明したように、第１の実施の形態に係るメガネ型装具によれば、レンズ部の３０％以上の領域が遮蔽され、かつ、遮蔽領域が、装着者の目領域の一部を少なくとも含み、２０Ｈｚ以上の周波数で、各セルを開閉させることにより、装着者及び周囲の人に違和感を与えず、かつ、カメラで撮像されても個人が判別されないようにすることができる。
【００８８】
また、電子シャッターの各セルが開閉することにより、目隠しを目的とする任意形状のパターンがレンズの上下あるいは左右方向に高速でスキャンしており、写真撮影された際の静止画像では、目部分が任意形状パターンで目隠しされた状態となっているため、プライバシーの侵害を防止することができる。
【００８９】
また、近年、情報端末の普及やインターネット環境の進展から、プライバシーの侵害が容易に起こりうる状況となっている。一方で、いつ・どこに・誰といたかを隠したい人々も多くいることから、自分のプライバシーを自己防衛できるツールが強く求められている。また、特に人とのコミュニケーションが重視される現代では、自然で不快感を与えない外観を装うことが必然となっているため、プライバシー自己防衛ツールは、特異な外観とならず簡単にその効果を発揮できるものである必要がある。第１の実施の形態に係るメガネ型装具は、これらの要件を満たしているため、奇異な外観とならずに自然かつファッション性を失わずにプライバシー侵害を防止できる効果を持つとともに、潜在的にプライバシーを守りたい消費者に広く受け入れられる。
【００９０】
また、目への障害が指摘される赤外LEDを用いていないため、目への障害を気にすることなく確実にプライバシーの侵害から守ることができる。
【００９１】
また、装着者自身でプライバシー侵害の自己防衛がハードウェア的に確実に実現できるとともに、目への障害を気にせず、かつ奇異な外観を有しないため対人コミュニケーションにも支障をきたさない電子シャッター機能を備えた目隠し可能なメガネ型装具を提供することができる。
【００９２】
［第２の実施の形態］
本第２の実施の形態では、電子シャッター部分を、エレクトロクロミック素子で構成する形態例について説明する。なお、第１の実施の形態と同様の構成となる部分については、同一符号を付して説明を省略する。
【００９３】
図１４に示すように、第２の実施の形態におけるメガネ型装具１００の左右のレンズ部１０の各々に設けられた電子シャッター２１２は、エレクトロクロミック素子で構成され、２枚の透明電極２２０間にエレクトロクロミック層２２２が挟まれた形状である。なお、基本構成はこのようであるが、強度を高めるために、透明電極２２０を有する透明基板２２４に保護フィルムが付してあっても良い。
【００９４】
本実施の形態における電子シャッター２１２の動作機構について述べる。図１５は、本方式の概略図である。
【００９５】
図１５に示すように２つの透明電極２２０に印加する電圧の極性により、透明と着色の２つの状態を制御する。電圧印加により、薄膜中の水素イオンが移動し、透明なエレクトロクロミック材料が水素化して着色する（図１５（Ａ）参照）。この状態では、エレクトロクロミック材料は着色しているため光を透過せず、光に対するシャッター機能を有することになり、周囲から当該エレクトロクロミック素子を備えたメガネ型装具１００の装着者の眼が見えない状態となる。
【００９６】
一方、逆に電界を印加すれば、水素が脱離してエレクトロクロミック材料は透明に戻る（図１５（Ｂ）参照）。この状態では、光に対してシャッターが機能していなく、周囲からメガネ型装具１００の装着者の眼が見える状態となっており、逆に言えば、装着者から周囲の状況が見える状態である。
【００９７】
エレクトロクロミック層２２２が着色して遮光されるか否かは、前述のように当該エレクトロクロミック層２２２両端に印加する電圧により制御できる。
【００９８】
このように動作するエレクトロクロミック素子による電子シャッター２１２の複数のセルを、マトリックス状に配置し、当該メガネ型装具１００のレンズ部１０に装着することで、目隠しによりプライバシーを守れる電子シャッター付きメガネ型装具を構成することができる。
【００９９】
駆動回路３２は、コントローラ３０の制御により、電子シャッター２１２のセル毎に、透明電極２２０間に電圧を印加して当該セルを開閉させる。
【０１００】
コントローラ３０は、上記第１の実施の形態と同様に、２０Ｈｚ以上の画像書き換え周波数で書き換えられる画像パターンに基づいて、電子シャッター２１２の各セルを開閉させるように、駆動回路３２を制御する。
【０１０１】
なお、第２の実施の形態に係るメガネ型装具１００の他の構成及び作用は、第１の実施の形態と同様であるため、説明を省略する。
【０１０２】
［第３の実施の形態］
本第３の実施の形態では、電子シャッター部分を、Micro Electro Mechanical System(MEMS)シャッターで構成する形態例について説明する。なお、第１の実施の形態及び第２の実施の形態と同様の構成となる部分については、同一符号を付して説明を省略する。
【０１０３】
図１６に示すように、第３の実施の形態におけるメガネ型装具１００の左右のレンズ部１０の各々に設けられた電子シャッター３１２は、Micro Electro Mechanical System (MEMS)シャッターで構成され、微小な可動部である微小シャッター３２０で、電気的に開口部３２２を開閉する構成である。なお、基本構成はこのようであるが、強度を高めるために、透明基板３２４に保護フィルムが付してあっても良い。
【０１０４】
第３の実施の形態における電子シャッター３１２の動作機構について述べる。図１７は、本方式の概略図である。
【０１０５】
電子シャッター３１２の動作原理としては、静電気的な引力および斥力を利用して微小シャッター３２０の開閉を制御する。
【０１０６】
図１７（Ａ）に示すように、微小シャッター３２０が閉じた状態では、遮光されるため、周囲から当該MEMSシャッターを備えたメガネ型装具１００の装着者の眼が見えない状態となる。
【０１０７】
当然のことながら、微小シャッター３２０が開いた状態（図１７（Ｂ））では、光が透過するため、周囲から当該メガネ型装具１００の装着者の眼が見える状態となっており、逆に言えば、使用者から周囲の状況が見える状態である。
【０１０８】
このように動作するMEMSシャッターを備えた電子シャッター３１２の複数のセルを、マトリックス状に配置し、当該メガネ型装具１００のレンズ部１０に装着することで、目隠しによりプライバシーを守れる電子シャッター付きメガネ型装具を構成することができる。
【０１０９】
駆動回路３２は、コントローラ３０の制御により、電子シャッター３１２のセル毎に、電気的に微小シャッター３２０を開閉させて当該セルを開閉させる。
【０１１０】
コントローラ３０は、上記第１の実施の形態と同様に、２０Ｈｚ以上の画像書き換え周波数で書き換えられる画像パターンに基づいて、電子シャッター３１２の各セルを開閉させるように、駆動回路３２を制御する。
【０１１１】
なお、第３の実施の形態に係るメガネ型装具１００の他の構成及び作用は、第１の実施の形態と同様であるため、説明を省略する。
【０１１２】
［第４の実施の形態］
本第４の実施の形態では、無線の受信モジュールを備えた形態例について説明する。なお、第１の実施の形態〜第３の実施の形態と同様の構成となる部分については、同一符号を付して説明を省略する。
【０１１３】
第４の実施の形態では、図１８に示すように、メガネ型装具１００は、制御装置１４に接続された受信モジュール４１４を更に備える。
【０１１４】
電子シャッター１２に表示させたい、形状や文字列を表す画像パターンを、スマートフォンなどの無線通信機能を備えた無線端末４５０から、赤外信号やBluetooth（Ｒ）などの無線信号として送信する。
【０１１５】
受信モジュール４１４は、無線端末４５０から受信した画像パターンを、制御装置１４へ出力する。
【０１１６】
制御装置１４では、コントローラ３０が、受信モジュール４１４から入力された画像パターンを、２０Ｈｚ以上の画像書き換え周波数で書き換えられる画像パターンとして用い、電子シャッター１２の各セルを開閉させるように、駆動回路３２を制御する。これにより、メガネ型装具１００が用いる画像パターンを、リアルタイムで変更することができ、カメラにメガネ型装具１００の装着者の顔が写り込んだ場合、撮像された画像のメガネ型装具１００のレンズ部１０の部分に、当該無線端末４５０から送信した画像パターンが表す形状や文字列が表示される。
【０１１７】
このように、電子シャッターに表示する画像パターンを、使用者自らが作図し、無線通信端末により、当該メガネ型装具に送信して電子シャッターによりレンズ部に表示でき、メッセージや意思を表示することができる。
【０１１８】
なお、上記の第１の実施の形態〜第３の実施の形態においても、上記第４の実施の形態と同様に、電子シャッターの画像パターンとして、任意形状や文字等が表現できる画像パターンを用いてもよい。これにより、任意形状や文字パターンでの目隠しができるとともに、メッセージの発信にも用いることができる。一例として、電子シャッター部分にビックリマーク（！）を表示することで、当該メガネ型装具の装着者の驚きの表情を視覚的に意思表示できる（図１９参照）。また、電子シャッターの画像パターンとして、QRコード（Ｒ）を表示させることで、コンピューターによる画像検索技術を活用した情報提供やウェブサイトへの誘導などが可能である（図２０）。
【０１１９】
また、上述したように、画像パターンにより、任意形状のロゴマークや文字パターンとして走査することで、撮影者および写真の閲覧者に対し、上記の任意形状やロゴマークを認識させることや文字によるメッセージを発信することが可能である。また、QRコード（Ｒ）のようなパターンとして表示することも可能であり、コンピューターによる画像検索技術を活用した情報提供やウェブサイトへの誘導などプライバシー侵害を防止する目的以上の展開が可能となる。
【０１２０】
また、電子シャッターを備えるレンズとしてはガラス、プラスチックなどの透明な材料を使う場合を例に説明したが、これに限定されるものではなく、有色透明な材料を使用してもよい。
【符号の説明】
【０１２１】
１０   レンズ部
１２、２１２、３１２ 電子シャッター
１２Ａ セル
１４   制御装置
２０   偏光フィルター
２２   透明基板
２４   液晶層
３０   コントローラ
３２   駆動回路
１００ メガネ型装具
４１４ 受信モジュール
４５０ 無線端末
【図１】
2018098729.tif 000003
【図２】
2018098729.tif 000004
【図３】
2018098729.tif 000005
【図４】
2018098729.tif 000006
【図５】
2018098729.tif 000007
【図６】
2018098729.tif 000008
【図７】
2018098729.tif 000009
【図８】
2018098729.tif 000010
【図９】
2018098729.tif 000011
【図１０】
2018098729.tif 000012
【図１１】
2018098729.tif 000013
【図１２】
2018098729.tif 000014
【図１３】
2018098729.tif 000015
【図１４】
2018098729.tif 000016
【図１５】
2018098729.tif 000017
【図１６】
2018098729.tif 000018
【図１７】
2018098729.tif 000019
【図１８】
2018098729.tif 000020
【図１９】
2018098729.tif 000021
【図２０】
2018098729.tif 000022